(57)【要約】【課題】自動的に、チューナの種類を識別して、チューナを種類に応じて制御することが可能なテレビジョン受信機を提供する。【解決手段】テレビジョン放送信号を受信するチューナ４と、チューナ４を制御しつつチューナ４から出力される中間周波信号を検波して映像・音声信号を出力するモジュール５とを備えたテレビジョン受信機１０において、チューナ４から出力される所定の出力情報をチューナ４の種類に応じて変える回路をチューナ４に設け、該所定の出力情報とチューナ４の種類との対応関係を示す情報６０をメモリ２に記憶しておく。電源投入時にチューナ４から出力された所定の出力情報を、メモリ２に記憶された情報６０と照合することにより、チューナ４の種類を識別し、該種類に応じてモジュール５にチューナ４を制御させる。【選択図】図１
0003128349.tif 000002
【実用新案登録請求の範囲】
【請求項１】
デジタルとアナログのテレビジョン放送信号を受信し、該アナログのテレビジョン放送信号を処理してアナログの映像信号と音声信号を出力するチューナと、チューナを制御しつつチューナから出力される中間周波信号を検波してデジタルの映像信号と音声信号を出力するモジュールとを備えたテレビジョン受信機において、
前記チューナに設けられたＩＣの第１のポートへの入力電圧レベルを前記チューナの種類に応じて変える第１の回路と、前記ＩＣの第２のポートへの入力電圧レベルを前記チューナの種類に応じて変える第２の回路と、前記チューナが無信号時に出力するＡＦＴ（Auto Frequency Tuning）電圧のレベルを前記チューナの種類に応じて変える第３の回路の、少なくとも１つを前記チューナに設け、
前記ＩＣは、前記第１のポートまたは前記第２のポートへの入力電圧レベルに応じて、前記チューナのアドレスを示すアドレスデータまたは前記モジュールによる前記チューナの制御に関する情報を示すステータスバイトデータの所定の桁のビットを変えて、該データを送信し、
前記アドレスデータの前記ビットと前記チューナの種類との対応関係を示す第１の情報と、前記ステータスバイトデータの前記ビットと前記チューナの種類との対応関係を示す第２の情報と、前記無信号時のＡＦＴ電圧レベルと前記チューナの種類との対応関係を示す第３の情報の、少なくとも１つが記憶された記憶手段と、
電源が初めて投入されたときまたは投入される毎に、前記チューナから受信した前記アドレスデータの前記ビットを前記第１の情報と照合することと、前記チューナから受信した前記ステータスバイトデータの前記ビットを前記第２の情報と照合することと、前記チューナから出力された前記無信号時のＡＦＴ電圧レベルを前記第３の情報と照合することの、少なくとも１つを行うことにより、前記チューナの種類を識別する識別手段と、
前記識別手段により識別された前記チューナの種類に応じて前記モジュールに前記チューナを制御させる上位制御手段と、を備えたことを特徴とするテレビジョン受信機。
【請求項２】
テレビジョン放送信号を受信するチューナと、チューナを制御しつつチューナから出力される中間周波信号を処理して映像信号と音声信号を出力するモジュールとを備えたテレビジョン受信機において、
前記チューナから出力される所定の出力情報を前記チューナの種類に応じて変える、前記チューナに設けられた回路と、
前記所定の出力情報と前記チューナの種類との対応関係を示す情報が記憶された記憶手段と、
前記チューナから出力された前記所定の出力情報を、前記記憶手段に記憶された前記情報と照合することにより、前記チューナの種類を識別する識別手段と、を備え、
前記モジュールは、前記識別手段により識別された前記チューナの種類に応じて前記チューナを制御することを特徴とするテレビジョン受信機。
【請求項３】
請求項２に記載のテレビジョン受信機において、
前記チューナは、デジタルのテレビジョン放送信号を受信し、
前記モジュールは、前記チューナから出力される中間周波信号を検波してデジタルの映像信号と音声信号を出力し、
前記チューナから出力される前記所定の出力情報は、前記チューナに設けられたＩＣから送信される、前記チューナのアドレスを示すデータであり、
前記チューナに設けられた前記回路は、前記ＩＣの所定のポートへの入力電圧レベルを前記チューナの種類に応じて変える回路であり、
前記ＩＣは、前記所定のポートへの入力電圧レベルに応じて、前記データの所定の桁のビットを変えて、前記データを送信し、
前記記憶手段に記憶された前記情報は、前記データの前記ビットと前記チューナの種類との対応関係を示す情報であり、
前記識別手段は、前記チューナから前記データを受信して、該データの前記ビットを前記記憶手段に記憶された前記情報と照合することにより、前記チューナの種類を識別することを特徴とするテレビジョン受信機。
【請求項４】
請求項２に記載のテレビジョン受信機において、
前記チューナは、デジタルのテレビジョン放送信号を受信し、
前記モジュールは、前記チューナから出力される中間周波信号を検波してデジタルの映像信号と音声信号を出力し、
前記チューナから出力される前記所定の出力情報は、前記チューナに設けられたＩＣから送信される、前記モジュールによる前記チューナの制御に関する情報を示すデータであり、
前記チューナに設けられた前記回路は、前記ＩＣの所定のポートへの入力電圧レベルを前記チューナの種類に応じて変える回路であり、
前記ＩＣは、前記所定のポートへの入力電圧レベルに応じて、前記データの所定の桁のビットを変えて、前記データを送信し、
前記記憶手段に記憶された前記情報は、前記データの前記ビットと前記チューナの種類との対応関係を示す情報であり、
前記識別手段は、前記チューナから前記データを受信して、該データの前記ビットを前記記憶手段に記憶された前記情報と照合することにより、前記チューナの種類を識別することを特徴とするテレビジョン受信機。
【請求項５】
請求項２に記載のテレビジョン受信機において、
前記チューナは、デジタルとアナログのテレビジョン放送信号を受信し、該アナログのテレビジョン放送信号を処理してアナログの映像信号と音声信号を出力し、
前記モジュールは、前記チューナから出力される中間周波信号を検波してデジタルの映像信号と音声信号を出力し、
前記チューナから出力される前記所定の出力情報は、前記チューナがテレビジョン放送信号を受信していない無信号時に出力するＡＦＴ（Auto Frequency Tuning）電圧であり、
前記チューナに設けられた前記回路は、前記無信号時のＡＦＴ電圧のレベルを前記チューナの種類に応じて変える回路であり、
前記記憶手段に記憶された前記情報は、前記無信号時のＡＦＴ電圧レベルと前記チューナの種類との対応関係を示す情報であり、
前記識別手段は、前記チューナから出力される前記無信号時のＡＦＴ電圧レベルを、前記記憶手段に記憶された前記情報と照合することにより、前記チューナの種類を識別することを特徴とするテレビジョン受信機。
【請求項６】
請求項２ないし請求項５のいずれかに記載のテレビジョン受信機において、
電源が初めて投入されたときまたは投入される毎に、
前記チューナは、前記所定の送信情報を送信し、
前記識別手段は、前記チューナの種類の識別を行うことを特徴とするテレビジョン受信機。 
【考案の詳細な説明】
【技術分野】
【０００１】
本考案は、チューナとチューナを制御するモジュールとを備えたテレビジョン受信機に関するものである。
【背景技術】
【０００２】
テレビジョン放送信号を受信するチューナを備えたテレビジョン受信機として、例えばテレビジョン受像機、ＶＣＲ（Video Cassette Recorder）、ＤＶＤ（Digital Versatile Disk）レコーダ、ＨＤＤ（Hard Disk Drive）レコーダ、これらの少なくとも２つが一体になった複合機、および映像や音声の記録や再生の機能を有しない単なる受信機等がある。チューナには、デジタルのテレビジョン放送信号を受信するデジタル対応チューナ、アナログのテレビジョン放送信号を受信するアナログ対応チューナ、およびデジタルとアナログの両方のテレビジョン放送信号を受信するデジタル・アナログ対応チューナがある。テレビジョン受信機には、チューナを制御しつつ、該チューナから出力されるＩＦ（Intermediate Frequency；中間周波）信号を処理して、映像信号と音声信号を出力するモジュールを備えたものがある。
【０００３】
このようなテレビジョン受信機を製造するメーカでは、通常、チューナを製造するメーカからチューナを購入し、モジュールを自社で開発し、該チューナおよびモジュールを接続して、受信機本体に組み込んでいる。チューナはメーカ毎や型番毎等に仕様が異なるため、モジュールでチューナの種類に応じた制御ができなければ、精度よくテレビジョン放送信号を受信して映像信号と音声信号を出力できなくなる。そこで、テレビジョン受信機のメーカでは、通常、使用するチューナの種類に合わせてモジュールを開発している。また、モジュールの開発や製造にかかるコストを低く抑えるため、使用するチューナを１社の１機種に限定している。
【０００４】
ところが、チューナの供給数の不足等の原因により、複数種類のチューナを代替使用しなければならないことがある。この場合、従来は、組み合わせるチューナの種類に応じてモジュールの回路を変更していた。また、下記の特許文献１には、一のチューナと、該一のチューナに適合する制御情報を記憶した不揮発性メモリとを、テレビジョン受信機のシャーシに交換可能に組み込むことが開示されている。しかし、このような方法では、人為的なミスにより、チューナとモジュールまたは不揮発性メモリとが正しく組み合わされないことがある。
【０００５】
一方、下記の特許文献２には、パーソナルコンピュータにおいて、キャプチャーカードを介してチューナとデータ通信を行い、各国のチャンネル局番に対応する周波数のテレビジョン放送信号をチューナに受信させて、チューナから返信されるＡＦＴ（Auto Frequency Tuning ）信号のレベルが正常であるか否かの判定結果から、受信可能なチャンネル局番と、チューナがいずれの国に対応するものであるかというチューナの種別とを自動的に判別することが開示されている。しかし、このような方法では、対応国より細かい、メーカや型番等の異なるチューナの種類を自動的に識別できない。
【０００６】
【特許文献１】特表２００４−５０７９１１号公報
【特許文献２】特開２００１−３０９２６１号公報
【考案の開示】
【考案が解決しようとする課題】
【０００７】
本考案は、以上のような問題点を解決するものであって、その課題とするところは、自動的に、チューナの種類を識別して、チューナを種類に応じて制御することが可能なテレビジョン受信機を提供することにある。
【課題を解決するための手段】
【０００８】
本考案では、テレビジョン放送信号を受信するチューナと、チューナを制御しつつチューナから出力される中間周波信号を処理して映像信号と音声信号を出力するモジュールとを備えたテレビジョン受信機において、チューナから出力される所定の出力情報をチューナの種類に応じて変える、チューナに設けられた回路と、前記所定の出力情報とチューナの種類との対応関係を示す情報が記憶された記憶手段と、チューナから出力された前記所定の出力情報を、記憶手段に記憶された前記情報と照合することにより、チューナの種類を識別する識別手段とを備え、モジュールは、識別手段により識別されたチューナの種類に応じてチューナを制御する。
【０００９】
このようにすると、メーカや型番等の異なるチューナの種類に応じて変えられた、チューナから出力される所定の出力情報により、自動的かつ確実に、チューナの種類を識別して、モジュールによりチューナを種類に応じて制御することが可能となる。この結果、複数種類のチューナを代替使用しても、常に精度よくテレビジョン放送信号を受信して映像信号と音声信号を出力することが可能となる。また、チューナから出力される所定の出力情報をチューナの種類に応じて変える回路をチューナに設けるので、モジュールを交換したりモジュールの回路等を変更したりする必要がなく、モジュールを共通化することができ、コストを削減することが可能となる。
【００１０】
また、本考案の一実施形態では、上記テレビジョン受信機において、チューナは、デジタルのテレビジョン放送信号を受信し、モジュールは、チューナから出力される中間周波信号を検波してデジタルの映像信号と音声信号を出力し、チューナから出力される前記所定の出力情報は、チューナに設けられたＩＣから送信される、チューナのアドレスを示すデータであり、チューナに設けられた前記回路は、前記ＩＣの所定のポートへの入力電圧レベルをチューナの種類に応じて変える回路であり、前記ＩＣは、所定のポートへの入力電圧レベルに応じて、前記データの所定の桁のビットを変えて、前記データを送信し、記憶手段に記憶された前記情報は、前記データの前記ビットとチューナの種類との対応関係を示す情報であり、識別手段は、チューナから前記データを受信して、該データの前記ビットを記憶手段に記憶された前記情報と照合することにより、チューナの種類を識別する。
【００１１】
このようにすると、各チューナで使用されているＩＣ等の電子部品が同一であっても、自動的かつ確実に、チューナの種類を識別して、モジュールによりチューナを種類に応じて制御することが可能となる。また、チューナのアドレスを示すデータにチューナの種類を識別する情報を含めているので、チューナの種類を識別するためだけのデータ通信をチューナと行わなくても、チューナの種類を識別することができ、データ通信にかかる処理負担を軽減することが可能となる。
【００１２】
また、本考案の一実施形態では、上記テレビジョン受信機において、チューナは、デジタルのテレビジョン放送信号を受信し、モジュールは、チューナから出力される中間周波信号を検波してデジタルの映像信号と音声信号を出力し、チューナから出力される前記所定の出力情報は、チューナに設けられたＩＣから送信される、モジュールによるチューナの制御に関する情報を示すデータであり、チューナに設けられた前記回路は、前記ＩＣの所定のポートへの入力電圧レベルをチューナの種類に応じて変える回路であり、前記ＩＣは、所定のポートへの入力電圧レベルに応じて、前記データの所定の桁のビットを変えて、前記データを送信し、記憶手段に記憶された前記情報は、前記データの前記ビットとチューナの種類との対応関係を示す情報であり、識別手段は、チューナから前記データを受信して、該データの前記ビットを記憶手段に記憶された前記情報と照合することにより、チューナの種類を識別する。
【００１３】
このようにすると、各チューナで使用されているＩＣ等の電子部品が同一であっても、自動的かつ確実に、チューナの種類を識別して、モジュールによりチューナを種類に応じて制御することが可能となる。また、モジュールによるチューナの制御に関する情報を示すデータにチューナの種類を識別する情報を含めているので、チューナの種類を識別するためだけのデータ通信をチューナと行わなくても、チューナの種類を識別することができ、データ通信にかかる処理負担を軽減することが可能となる。
【００１４】
また、本考案の一実施形態では、上記テレビジョン受信機において、チューナは、デジタルとアナログのテレビジョン放送信号を受信し、該アナログのテレビジョン放送信号を処理してアナログの映像信号と音声信号を出力し、モジュールは、チューナから出力される中間周波信号を検波してデジタルの映像信号と音声信号を出力し、チューナから出力される前記所定の出力情報は、チューナがテレビジョン放送信号を受信していない無信号時に出力するＡＦＴ（Auto Frequency Tuning）電圧であり、チューナに設けられた前記回路は、無信号時のＡＦＴ電圧のレベルをチューナの種類に応じて変える回路であり、記憶手段に記憶された前記情報は、無信号時のＡＦＴ電圧レベルとチューナの種類との対応関係を示す情報であり、識別手段は、チューナから出力される無信号時のＡＦＴ電圧レベルを、記憶手段に記憶された前記情報と照合することにより、チューナの種類を識別する。
【００１５】
このようにすると、各チューナで使用されているＩＣ等の電子部品が同一であっても、チューナとデータ通信を行わずに、自動的かつ確実に、チューナの種類を識別して、モジュールによりチューナを種類に応じて制御することが可能となる。
【００１６】
また、本考案の一実施形態では、上記テレビジョン受信機において、電源が初めて投入されたときまたは投入される毎に、チューナは、前記所定の送信情報を送信し、識別手段は、前記チューナの種類の識別を行う。
【００１７】
チューナの種類に適合しない制御がモジュールにより一旦行われると、チューナは以降のモジュールによる制御を受け付けなくなることがある。然るに、上記のようにすると、モジュールによるチューナの制御を開始する前に、チューナの種類を識別するので、一層確実に、チューナの種類を識別して、モジュールによりチューナを種類に応じて制御することが可能となる。また、最初の電源投入時にだけチューナの種類を識別することで、以降の電源投入時の処理負担を軽減することができる。さらに、電源投入時毎にチューナの種類を識別することで、故障等のためにチューナが交換されても、確実にモジュールによりチューナを種類に応じて制御することができ、この結果精度よくテレビジョン放送信号を受信して映像信号と音声信号を出力することが可能となる。
【００１８】
さらに、本考案の一実施形態では、デジタルとアナログのテレビジョン放送信号を受信し、該アナログのテレビジョン放送信号を処理してアナログの映像信号と音声信号を出力するチューナと、チューナを制御しつつチューナから出力される中間周波信号を検波してデジタルの映像信号と音声信号を出力するモジュールとを備えたテレビジョン受信機において、チューナに設けられたＩＣの第１のポートへの入力電圧レベルをチューナの種類に応じて変える第１の回路と、ＩＣの第２のポートへの入力電圧レベルをチューナの種類に応じて変える第２の回路と、チューナが無信号時に出力するＡＦＴ電圧のレベルをチューナの種類に応じて変える第３の回路の、少なくとも１つをチューナに設ける。前記ＩＣは、第１のポートまたは第２のポートへの入力電圧レベルに応じて、チューナのアドレスを示すアドレスデータまたはモジュールによるチューナの制御に関する情報を示すステータスバイトデータの所定の桁のビットを変えて、該データを送信する。また、アドレスデータの前記ビットとチューナの種類との対応関係を示す第１の情報と、ステータスバイトデータの前記ビットとチューナの種類との対応関係を示す第２の情報と、無信号時のＡＦＴ電圧レベルとチューナの種類との対応関係を示す第３の情報の、少なくとも１つが記憶された記憶手段と、電源が初めて投入されたときまたは投入される毎に、チューナから受信したアドレスデータの前記ビットを第１の情報と照合することと、チューナから受信したステータスバイトデータの前記ビットを第２の情報と照合することと、チューナから出力された無信号時のＡＦＴ電圧レベルを第３の情報と照合することの、少なくとも１つを行うことにより、チューナの種類を識別する識別手段と、識別手段により識別されたチューナの種類に応じてモジュールにチューナを制御させる上位制御手段とを備える。
【００１９】
このようにすると、各チューナで使用されているＩＣ等の電子部品が同一であっても、自動的かつ確実に、チューナの種類を識別して、モジュールによりチューナを種類に応じて制御することが可能となる。また、第１〜第３の回路をチューナに設けるので、モジュールを共通化することができ、コストを削減することが可能となる。また、アドレスデータまたはステータスバイトデータにチューナを識別する情報を含めることで、チューナの種類を識別するためだけのデータ通信をチューナと行わなくても、チューナの種類を識別することができ、データ通信にかかる処理負担を軽減することが可能となる。また、無信号時のＡＦＴ電圧のレベルをチューナの種類に応じて変えることで、チューナとデータ通信を行わなくても、チューナの種類を識別することができる。また、モジュールによるチューナの制御を開始する前に、チューナの種類を識別するので、一層確実に、チューナの種類を識別して、モジュールによりチューナを種類に応じて制御することが可能となる。また、最初の電源投入時にだけチューナの種類を識別することで、以降の電源投入時の処理負担を軽減することができる。また、電源投入時毎にチューナの種類を識別することで、チューナが交換されても、確実にモジュールによりチューナを種類に応じて制御することができる。さらに、複数の識別方法を組み合わせて実行することで、一の識別方法でチューナの種類の識別に失敗しても、他の識別方法でチューナの種類を識別することができ、チューナの種類の識別とモジュールによるチューナの種類に応じた制御の確実かつ正確な実行の万全を図ることが可能となる。
【考案の効果】
【００２０】
本考案によれば、自動的かつ確実に、チューナの種類を識別することができ、モジュールによりチューナを種類に応じて制御することが可能となる。
【考案を実施するための最良の形態】
【００２１】
図１は、本考案の実施形態に係るテレビジョン受信機１０のブロック図である。テレビジョン受信機１０のシステムコントローラ（以下、「シスコン」という。）１は、ＣＰＵ、ＲＯＭ、ＲＡＭ、および不揮発性メモリ等から構成されている。シスコン１は、ＲＯＭ、ＲＡＭ、および不揮発性メモリに記憶されたプログラムとデータに基づいて、テレビジョン受信機１０の各部を制御する。メモリ２は、ＲＯＭ、ＲＡＭ、および不揮発性メモリ等から構成されている。メモリ２には、チューナ部３に備わるデジタル・アナログ対応チューナ（以下、「チューナ」という。）４の種類を識別するためのチューナ対応情報６０が記憶されている。シスコン１は、チューナ４から出力される所定の出力情報と、メモリ２のチューナ対応情報６０とに基づいて、代替使用するメーカや型番等の異なるチューナの種類を識別する。シスコン１は、本考案における上位制御手段と識別手段の一実施形態を構成する。メモリ２は、本考案における記憶手段の一実施形態を構成する。
【００２２】
チューナ部３は、チューナ４とチューナ制御モジュール（以下、「モジュール」という。）５とから構成されている。チューナ４には、チューナ回路とアナログＩＦ（Intermediate Frequency；中間周波）検波回路等が設けられている。チューナ回路には、局部発振回路、ＰＬＬ（Phase Lock Loop；位相同期）回路、ＡＦＴ（Auto  Frequency Tuning；自動周波数同調）回路等が含まれている。チューナ４は、アンテナ９を介してアナログとデジタルのテレビジョン放送信号（地上アナログ放送のテレビジョン放送信号と、地上デジタル放送、ＢＳデジタル放送、ＣＳデジタル放送、およびこれらデジタル放送に含まれるデジタルハイビジョン放送等のテレビジョン放送信号）を受信する。チューナ４は、アンテナ９からチューナ回路へ入力された地上アナログ放送のＲＦ（Radio Frequency；高周波）信号を、局部発振回路によりアナログＩＦ信号に変換する。この際、チューナ４は、ＰＬＬ回路により局部発振回路の発振周波数を入力された周波数（選局されたチャンネルの周波数）に同期させ、ＡＦＴ回路により発振周波数を制御してアナログＩＦ信号の中間周波数を基準周波数と一致させる。そして、チューナ４は、アナログＩＦ信号をチューナ回路からアナログＩＦ検波回路へ出力し（AIF OUT）、該アナログＩＦ検波回路により検波して、アナログの映像信号と音声信号を信号処理部６に出力する（アナログ放送V/A OUT）。
【００２３】
また、チューナ４は、アンテナ９から入力された地上デジタル放送等のＲＦ信号を、チューナ回路の局部発振回路によりデジタルＩＦ信号に変換して、モジュール５に出力する（DIF OUT）。この際、チューナ４は、ＰＬＬ回路により局部発振回路の発振周波数を入力された周波数に同期させる。モジュール５には、マイクロコンピュータ、デジタル復調器（VSB/QAM Demodulator）、伝送エラー訂正（FEC；Forward Error  Correction）、ＭＰＥＧ（Moving Picture Experts Group）−２転送インタフェイス、およびデジタルＴＶバックエンド回路等が設けられている。デジタル復調器には、アナログデジタルコンバータ（ＡＤＣ）が含まれている。モジュール５は、チューナ４を制御しつつ、チューナ４から出力されるデジタルＩＦ信号を、デジタル復調器により検波して、アナログデジタルコンバータによりデジタルの映像信号と音声信号に変換する。そして、モジュール５は、該デジタルの映像信号と音声信号を伝送エラー訂正とＭＰＥＧ−２転送インタフェイスを通して、デジタルＴＶバックエンド回路によりアナログの映像信号と音声信号に変換し、信号処理部６に出力する（デジタル放送V/A OUT）。また、モジュール５は、チューナ４およびシスコン１とＩＩＣ（Inter Integrated Circuit）バス８を介してデータ通信を行う。モジュール５に備わるメモリには、代替使用する複数種類のチューナ４を制御するための制御情報の一部１１がそれぞれ記憶されている。チューナ４に備わるメモリには、モジュール５により該チューナ４を制御するための制御情報の一部１２が記憶されている。
【００２４】
信号処理部６には、スイッチ回路、ＭＰＥＧ回路、アナログデジタルコンバータ等が設けられている。信号処理部６は、アナログ放送とデジタル放送の受信選択に応じて、処理する信号をスイッチ回路によりチューナ４またはモジュール５から出力されるアナログの映像信号と音声信号に切り替える。信号処理部６は、チューナ４またはモジュール５から出力されるアナログの映像信号と音声信号を処理して、テレビジョン受信機１０と一体のまたは外付けされたテレビ（テレビジョン受像機）やＶＣＲ（Video Cassette Recorder）等に出力する。テレビは、信号処理部６から出力される映像信号に基づいてディスプレイに映像を表示し、信号処理部６から出力される音声信号に基づいてスピーカから音声を出力する。ＶＣＲは、信号処理部６から出力される映像信号と音声信号をビデオテープに記録する。また、信号処理部６は、チューナ４またはモジュール５から出力されるアナログの映像信号と音声信号を、アナログデジタルコンバータによりデジタルの映像信号と音声信号に変換して、ＭＰＥＧ回路によりＭＰＥＧ形式で圧縮し、テレビジョン受信機１０と一体のまたは外付けされたＨＤＤ（Hard Disk Drive）や光ディスクドライブ等に出力する。ＨＤＤは、信号処理部６から出力される映像と音声のデジタルデータを磁気ディスクに記録する。光ディスクドライブは、信号処理部６から出力される映像と音声のデジタルデータをＤＶＤ（Digital Versatile Disk）等の光ディスクに記録する。電源部７は、電源コード等を介してＡＣコンセントに接続され、テレビジョン受信機１０の各部に電力を供給する。上記の他にもテレビジョン受信機１０には、図示しない表示部、操作部、およびリモートコントローラ等の公知の構成が備わっている。
【００２５】
図２は、チューナ４の一部の構造を示す図である。チューナ４には、上述したチューナ回路やアナログＩＦ検波回路等以外に、ＭＯＰ２０と電圧可変回路３１〜３３等が備わっている。ＭＯＰ２０は、上述したＰＬＬ回路のコントローラＩＣであって、チューナ回路に含まれている。メーカや型番等が異なる複数のチューナ４において、同一のＭＯＰ２０が用いられることはよくある。チューナ４のアドレスを示すアドレスデータ（Address Data）や、モジュール５によるチューナ４の制御に関する情報を示すステータスバイトデータ（Status Byte Date）等は、ＭＯＰ２０のポート２３からチューナ４の端子４７を通してモジュール５に送信される。電圧可変回路３１は、アドレスデータを送信する際にＭＯＰ２０のポート２１に入力されるアドレスセット電圧（Address Set Voltage）のレベルをチューナ４の種類に応じて変える回路である。電圧可変回路３２は、ステータスバイトデータを送信する際にＭＯＰ２０のポート２２に入力されるＡＤＣセット電圧（Analog Digital Converter Set Voltage）のレベルをチューナ４の種類に応じて変える回路である。ＭＯＰ２０には、ポート２１〜２３以外にも図示しない複数のポートが設けられている。電圧可変回路３３は、無信号時にチューナ４から出力されるＡＦＴ電圧のレベルをチューナ４の種類に応じて変える回路である。ＡＦＴ電圧は、アナログＩＦ信号の搬送波周波数と基準周波数とのずれに応じた電圧のことである。無信号時とは、チューナ４がテレビジョン放送信号を受信していない時、即ちアンテナ９と物理的にまたは半導体スイッチの解放等により電気的に接続されていない時のことであって、選局する前である。
【００２６】
チューナ４の端子４０からは、アンテナ９よりＲＦ信号が入力される。端子４１には、電源部７によりチューニング電圧（ＶＴ＝＋３２Ｖ）が印加される。端子４２には、電源部７により電源電圧（Ｖｃｃ＝＋５Ｖ）が印加される。端子４３、４４からは、図１のアナログＩＦ検波回路で生成されたアナログ放送に基づくアナログの音声信号と映像信号がそれぞれ出力される。端子４５からは、アナログＩＦのＡＦＴ電圧が出力される。端子４６からは、シリアルクロック信号が入力される。端子４７には、シリアルデータ信号が入出力される。端子４８、４９からは、図１のチューナ回路で生成されたデジタルＩＦ信号が出力される。チューナ４には、端子４０〜４９以外にも複数の入出力用の端子が設けられている。
【００２７】
図３〜図５は、第１のチューナ識別方法を説明するための図である。図３は、第１のチューナ識別処理の手順を示すフローチャートである。テレビジョン受信機１０に電源が初めて投入されたときまたは投入される毎に（ステップＳ１：ＹＥＳ）、シスコン１はモジュール５を介してチューナ４に対しアドレスデータの送信を要求するコマンドを送信する（ステップＳ２）。電源が投入されたときとは、テレビジョン受信機１０の電源コードがＡＣコンセントに接続されたとき、またはテレビジョン受信機１０の操作部またはリモートコントローラに設けられた電源スイッチがＯＮ操作されたときのことであって、チューナ４によるテレビジョン放送信号の受信を開始する前である。上記コマンドがチューナ４で受信されると、ＭＯＰ２０が図４に示すようなアドレスデータ５１を送信し、シスコン１がモジュール５を介して該アドレスデータ５１を受信する（ステップＳ３）。
【００２８】
図４に示すようにアドレスデータ５１は８ビットのシリアルデータである。アドレスデータ５１の末尾には、アクナリッジビット（Acknowledge Bit）Ａが付加されている。アドレスデータ５１の上５桁は、チューナ４のアドレスを示すアドレスビッツ（Address Bits）である。アドレスデータ５１の下３桁のうち、下１桁はリードビット（Read Bit）Ｒ（＝１）またはライトビット（Write  Bit）Ｗ（＝０）であり、他の２桁はアドレスセットビッツ（Address Set Bits）Ｘ０、Ｘ１である。ＭＯＰ２０は、図２に示したポート２１に入力されるアドレスセット電圧のレベルに応じて、アドレスセットビッツＸ０、Ｘ１を「０」または「１」に変えて、アドレスデータ５１をポート２３から送信する。この特性を利用して、電圧可変回路３１によりアドレスセット電圧のレベルをチューナ４の種類に応じて変えている。
【００２９】
図５は、上記アドレスセットビッツＸ０、Ｘ１、アドレスセット電圧、およびチューナ４の種類の対応関係を示すアドレス・チューナ対応テーブル６１を示す図である。テレビジョン受信機１０のメーカは、使用候補のチューナ４の種類（ａ〜ｄ）毎に、アドレスセットビッツＸ０、Ｘ１およびアドレスセット電圧レベルを変えて割り当てる。チューナ４のメーカは、チューナ４の種類（ａ〜ｄ）に応じて、割り当てられたアドレスセット電圧レベルと同一レベルのアドレスセット電圧がＭＯＰ２０のポート２１へ入力されるように、電圧可変回路３１を形成する。このため、例えばチューナ４の種類が「ａ」である場合、ＭＯＰ２０のポート２１へ入力されるアドレスセット電圧は「（０〜０．１）×Ｖｃｃ」となり、ＭＯＰ２０のポート２３から出力されるアドレスデータ５１のアドレスセットビッツＸ０、Ｘ１はそれぞれ「０」になる。アドレス・チューナ対応テーブル６１の情報は、図１のチューナ対応情報６０に含まれてメモリ２に記憶されている。なお、アドレス・チューナ対応テーブル６１のアドレスセット電圧レベルの情報については、チューナ対応情報６０に含めてメモリ２に記憶するのを省略してもよい。
【００３０】
チューナ４から送信されたアドレスデータ５１を受信すると、シスコン１は、アドレスデータ５１を読み込んで、チューナ４のアドレスをモジュール５にセット（モジュール５に内蔵されたメモリに記録）する（ステップＳ４）。また、シスコン１は、アドレスデータ５１のアドレスセットビッツＸ０、Ｘ１をメモリ２に記憶されたアドレス・チューナ対応テーブル６１と照合して（ステップＳ５）、チューナ４の種類を識別する（ステップＳ６）。そして、シスコン１は、識別したチューナ４の種類をモジュール５にセットし（ステップＳ７）、該種類に応じてモジュール５がチューナ４を制御できるようにする。
【００３１】
図６〜図８は、第２のチューナ識別方法を説明するための図である。図６は、第２のチューナ識別処理の手順を示すフローチャートである。テレビジョン受信機１０に電源が初めて投入されたときまたは投入される毎に（ステップＳ１１：ＹＥＳ）、シスコン１は、モジュール５を介してチューナ４から受信したアドレスデータに基づいて、チューナ４のアドレスをセットし（ステップＳ１２：ＹＥＳ）、次にモジュール５を介してチューナ４に対しデータの送信を要求するコマンドを送信する（ステップＳ１３）。該コマンドがチューナ４で受信されると、ＭＯＰ２０が図７に示すようなステータスバイトデータ５２を送信し、シスコン１がモジュール５を介して該ステータスバイトデータ５２を受信する（ステップＳ１４）。
【００３２】
図７に示すようにステータスバイトデータ５２は８ビットのシリアルデータである。ステータスバイトデータ５２の末尾には、アクナリッジビットＡが付加されている。ステータスバイトデータ５２の上５桁のうち、上１桁はパワーＯＮリセットインジケータビット（Power ON Reset Indicator Bit）ＰＯＬであり、次の桁はフェイズロックフラグビットＦＬであり、他の３桁は「１」を示す固定ビットである。ステータスバイトデータ５２の下３桁は、ＡＤＣセットビッツ（Analog Digital Converter Set Voltage）Ｙ０、Ｙ１、Ｙ２である。ＡＤＣセットビッツＹ０、Ｙ１、Ｙ２は、チューナ４からモジュール５に入力されるデジタルＩＦ信号をモジュール５のデジタル復調器で検波してアナログデジタルコンバータでデジタル化するときに、該アナログデジタルコンバータに入力する電圧の最適レベルを示している。この最適レベルは、チューナ４の種類によって異なる。ＭＯＰ２０は、図２に示したポート２２に入力されるＡＤＣセット電圧のレベルに応じて、ＡＤＣセットビッツＹ０、Ｙ１、Ｙ２を「０」または「１」に変えて、ステータスバイトデータ５２をポート２３から送信する。この特性を利用して、電圧可変回路３２によりＡＤＣセット電圧のレベルを上記アナログデジタルコンバータへの入力電圧の最適レベルに応じて、即ちチューナ４の種類に応じて変えている。
【００３３】
図８は、上記ＡＤＣセットビッツＹ０、Ｙ１、Ｙ２、ＡＤＣセット電圧、およびチューナ４の種類の対応関係を示すＡＤＣ・チューナ対応テーブル６２を示す図である。テレビジョン受信機１０のメーカは、使用候補のチューナ４の仕様書等を参照して、該チューナ４の種類（ａ〜ｄ）および該チューナ４を使用する際の上記アナログデジタルコンバータへの入力電圧の最適レベル毎に、ＡＤＣセットビッツＹ０、Ｙ１、Ｙ２を変えて割り当てる。図８では、ａ〜ｄの４種類しか使用候補のチューナ４として示していないが、５種類以上のチューナ４も使用候補にして、それぞれにＡＤＣセットビッツＹ０、Ｙ１、Ｙ２を変えて割り当てることもできる。チューナ４のメーカは、チューナ４の種類（ａ〜ｄ）に応じた上記アナログデジタルコンバータへの入力電圧の最適レベルと同一レベルのＡＤＣセット電圧がＭＯＰ２０のポート２２へ入力されるように、電圧可変回路３２を形成する。このため、例えばチューナ４の種類が「ａ」であって、該チューナ４を使用する際の上記アナログデジタルコンバータへの入力電圧の最適レベルが「（０〜０．１５）×Ｖｃｃ」である場合、ＭＯＰ２０のポート２２へ入力されるＡＤＣセット電圧も「（０〜０．１５）×Ｖｃｃ」となり、ＭＯＰ２０のポート２３から出力されるステータスバイトデータ５２のＡＤＣセットビッツＹ０、Ｙ１、Ｙ２はそれぞれ「０」になる。ＡＤＣ・チューナ対応テーブル６２の情報は、図１のチューナ対応情報６０に含まれてメモリ２に記憶されている。なお、ＡＤＣ・チューナ対応テーブル６２のＡＤＣセット電圧レベルの情報については、チューナ対応情報６０に含めてメモリ２に記憶するのを省略してもよい。
【００３４】
チューナ４から送信されたステータスバイトデータ５２を受信すると、シスコン１は、ステータスバイトデータ５２を読み込んで、該データ５２に含まれる制御情報（パワーＯＮリセットインジケータビットＰＯＬとフェイズロックフラグビットＦＬの情報）をモジュール５にセットする（ステップＳ１５）。また、シスコン１は、ステータスバイトデータ５２のＡＤＣセットビッツＹ０、Ｙ１、Ｙ２をメモリ２に記憶されたＡＤＣ・チューナ対応テーブル６２と照合して（ステップＳ１６）、チューナ４の種類を識別する（ステップＳ１７）。そして、シスコン１は、識別したチューナ４の種類をモジュール５にセットし（ステップＳ１８）、該種類に応じてモジュール５がチューナ４を制御できるようにする。
【００３５】
図９および図１０は、第３のチューナ識別方法を説明するための図である。図９は、第３のチューナ識別処理の手順を示すフローチャートである。テレビジョン受信機１０に電源が初めて投入されたときまたは投入される毎に（ステップＳ２１：ＹＥＳ）、シスコン１はモジュール５を介して無信号時にチューナ４から出力されるＡＦＴ電圧のレベルを検出する（ステップＳ２２）。この無信号時のＡＦＴ電圧のレベルは、図２に示した電圧可変回路３３によりチューナ４の種類に応じて変えられている。
【００３６】
図１０は、上記無信号時のＡＦＴ電圧とチューナ４の種類の対応関係を示すＡＦＴ・チューナ対応テーブル６３を示す図である。テレビジョン受信機１０のメーカは、使用候補のチューナ４の種類（ａ〜ｄ）毎に、無信号時のＡＦＴ電圧レベルを変えて割り当てる。チューナ４のメーカは、チューナ４の種類（ａ〜ｄ）に応じて、割り当てられた無信号時のＡＦＴ電圧レベルと同一レベルのＡＦＴ電圧が無信号時にチューナ４の端子４５から出力されるように、電圧可変回路３３を形成する。このため、例えばチューナ４の種類が「ａ」である場合、無信号時にチューナ４の端子４５から出力されるＡＦＴ電圧は「（０〜０．１）×Ｖｃｃ」となる。ＡＦＴ・チューナ対応テーブル６３の情報は、図１のチューナ対応情報６０に含まれてメモリ２に記憶されている。
【００３７】
無信号時のＡＦＴ電圧レベルを検出すると、シスコン１は、該ＡＦＴ電圧レベルをメモリ２に記憶されたＡＦＴ・チューナ対応テーブル６３と照合して（ステップＳ２３）、チューナ４の種類を識別する（ステップＳ２４）。そして、シスコン１は、識別したチューナ４の種類をモジュール５にセットし（ステップＳ２５）、該種類に応じてモジュール５がチューナ４を制御できるようにする。
【００３８】
上述した第１〜第３のチューナ識別処理の少なくとも１つを実行し終えると、シスコン１はチューナ４の種類に応じてモジュール５にチューナ４を制御させる。即ち、モジュール５がチューナ４とデータ通信をして、制御情報１２、１１をやり取りし、チューナ４の種類に応じて、チューナ４を制御して、選局されたチャンネルの周波数のテレビジョン放送信号を受信し、該受信信号を処理して、映像信号と音声信号を出力する。第１〜第３のチューナ識別処理を全て実行しない場合は、該実行しないチューナ識別処理にかかわる、電圧可変回路３１〜３３のチューナ４への設置とチューナ対応テーブル６１〜６３の情報のメモリ２への記憶とを、省略してもよい。
【００３９】
以上のようにすると、メーカや型番等の異なる各チューナ４で使用されているＭＯＰ２０等の電子部品が同一であっても、第１〜第３のチューナ識別処理の少なくとも１つを実行することで、自動的かつ確実に、チューナ４の種類を識別して、モジュール５によりチューナ４を種類に応じて制御することが可能となる。この結果、複数種類のチューナ４を代替使用しても、常に精度よくテレビジョン放送信号を受信して映像信号と音声信号を出力することが可能となる。
【００４０】
また、チューナ４から出力されるアドレスデータ、ステータスバイトデータ、または無信号時のＡＦＴ電圧をチューナ４の種類に応じて変える電圧可変回路３１〜３３をチューナ４に設けるので、モジュール５を交換したりモジュール５の回路等を変更したりする必要がなく、モジュール５を共通化することができ、コストを削減することが可能となる。
【００４１】
また、アドレスデータまたはステータスバイトにチューナ４の種類を識別する情報を含めているので、チューナ４の種類を識別するためだけのデータ通信をチューナ４と行わなくても、チューナ４の種類を識別することができ、データ通信にかかるシスコン１およびモジュール５の処理負担を軽減することが可能となる。
【００４２】
また、無信号時のＡＦＴ電圧のレベルをチューナ４の種類に応じて変えているので、チューナ４とデータ通信を行わなくても、第２のチューナ識別処理により確実に、チューナ４の種類を識別して、モジュール５によりチューナ４を種類に応じて制御することが可能となる。
【００４３】
また、チューナ４の種類に適合しない制御がモジュール５により一旦行われると、チューナ４は以降のモジュール５による制御を受け付けなくなることがある。然るに、電源が初めて投入されたときまたは投入される毎に、即ちモジュール５によるチューナ４の制御を開始する前に、第１〜第３のチューナ識別処理の少なくとも１つの実行を開始することで、一層確実に、チューナ４の種類を識別して、モジュール５によりチューナ４を種類に応じて制御することが可能となる。
【００４４】
また、最初の電源投入時にだけ、第１〜第３のチューナ識別処理の少なくとも１つを実行して、チューナ４の種類を識別することで、以降の電源投入時のシスコン１、モジュール５、およびチューナ４の処理負担を軽減することができる。
【００４５】
また、電源投入時毎に、第１〜第３のチューナ識別処理の少なくとも１つを実行して、チューナ４の種類を識別することで、故障等のためにチューナ４が交換されても、確実に、モジュール５によりチューナ４を種類に応じて制御することができ、精度よくテレビジョン放送信号を受信して映像信号と音声信号を出力することが可能となる。
【００４６】
さらに、第１〜第３のチューナ識別処理を組み合わせて実行することで、一のチューナ識別処理でチューナ４の種類の識別に失敗しても、他のチューナ識別処理でチューナ４の種類を識別することができ、チューナ４の種類の識別とモジュール５によるチューナ４の種類に応じた制御の確実かつ正確な実行の万全を図ることが可能となる。
【００４７】
本考案は、以上の実施形態以外にも種々の形態を採用することができる。例えば、以上の実施形態では、デジタル・アナログ対応チューナ４を搭載したテレビジョン受信機１０に本考案を適用した例を挙げたが、本考案は、例えばアナログ対応チューナまたはデジタル対応チューナを搭載したテレビジョン受信機にも適用することができる。また、本考案は、テレビジョン受像機、ＶＣＲ、ＤＶＤレコーダ、ブルーレイディスク（Blu-ray Disc；登録商標）レコーダ、ＨＤＤレコーダ、これらの少なくとも２つが一体になった複合機、または映像や音声の記録や再生の機能を有しない単なる受信機等のような、テレビジョン受信機に適用することができる。
【図面の簡単な説明】
【００４８】
【図１】テレビジョン受信機のブロック図である。
【図２】チューナの一部の構造を示す図である。
【図３】第１のチューナ識別処理の手順を示すフローチャートである。
【図４】アドレスデータを示す図である。
【図５】アドレス・チューナ対応テーブルを示す図である。
【図６】第２のチューナ識別処理の手順を示すフローチャートである。
【図７】ステータスバイトデータを示す図である。
【図８】ＡＤＣ・チューナ対応テーブルを示す図である。
【図９】第３のチューナ識別処理の手順を示すフローチャートである。
【図１０】ＡＦＴ・チューナ対応テーブルを示す図である。
【符号の説明】
【００４９】
１  システムコントローラ
２  メモリ
４  デジタル・アナログ対応チューナ
５  チューナ制御モジュール
１０  テレビジョン受信機
２０  ＭＯＰ
２１、２２  ポート
３１、３２、３３  電圧可変回路
５１  アドレスデータ
５２  ステータスバイトデータ
６１  アドレス・チューナ対応テーブル
６２  ＡＤＣ・チューナ対応テーブル
６３  ＡＦＴ・チューナ対応テーブル
Ｘ０、Ｘ１  アドレスセットビッツ
Ｙ０、Ｙ１、Ｙ２  ＡＤＣセットビッツ
【図１】
0003128349.tif 000003
【図２】
0003128349.tif 000004
【図３】
0003128349.tif 000005
【図４】
0003128349.tif 000006
【図５】
0003128349.tif 000007
【図６】
0003128349.tif 000008
【図７】
0003128349.tif 000009
【図８】
0003128349.tif 000010
【図９】
0003128349.tif 000011
【図１０】
0003128349.tif 000012